(57)【要約】      （修正有）【課題】自動販売機の固定用台の取付孔に係止した状態での前倒を防止できると共に、全てのメーカーのディスプレーの固定用台に汎用的に取り付けることができる自動販売機のディスプレー用ダミーを提供する。【解決手段】自動販売機のディスプレー部に設けられた固定用台１２に設けられた取付孔１３に底部１５が固定され、上記固定用台上に立設して陳列される半円筒状に形成され、上記ダミー本体１４の底部には、上記取付孔に挿入されて取付孔の周縁部に係合しうる係合部１６が延設されたディスプレー用ダミーにおいて、上記係合部は、ダミー本体の前面部及び両側部に形成されている。上記係合部は、上記ダミー本体の底面部との間に所定間隔をおいてダミー本体外方に向けて突設され、ダミー本体底面部と係合部との間に上記固定用台に設けられた取付孔の周縁部が配置されるように構成されている。【選択図】図５
0003107476.tif 000002
【実用新案登録請求の範囲】
【請求項１】
自動販売機のディスプレー部に設けられた固定用台に設けられた取付孔に底部が固定され、上記固定用台上に立設して陳列される半円筒状に形成され、上記ダミー本体の底部には、上記取付孔に挿入されて取付孔の周縁部に係合しうる係合部が延設されたディスプレー用ダミーにおいて、
上記係合部は、ダミー本体の前面部及び両側部に形成されていることを特徴とする自動販自動販売機のディスプレー用ダミー。
【請求項２】
上記係合部は、上記ダミー本体の底面部との間に所定間隔をおいてダミー本体外方に向けて突設され、ダミー本体底面部と係合部との間に上記固定用台に設けられた取付孔の周縁部が配置されるように構成されていることを特徴とする請求項１記載の自動販売機のディスプレー用ダミー。
【請求項３】
上記ダミー本体底面部には、上記係合部における幅方向の両端部位から前方へ向かって配置され、ダミー本体の下方へ向かって膨出したリブが形成されていることを特徴とする請求項１又は２記載の自動販売機のディスプレー用ダミー。
【請求項４】
上記係合部には、凹状溝部が前後方向に沿って形成されていることを特徴とする請求項１、２又は３記載の自動販売機のディスプレー用ダミー。
【請求項５】
上記凹状溝部は上記係合部における２箇所に形成され、上記係合部は上記凹状溝部により前端部係合部及び両側係合部に画成されていることを特徴とする請求項４記載の自動販売機のディスプレー用ダミー。
【考案の詳細な説明】
【技術分野】
【０００１】
本考案は、自動販売機で販売されるコーヒー、ジュース、お茶等の飲料を入れる容器を模して成形され、飲料を入れた実物の容器の代わりに自動販売機内に展示されるディスプレー用ダミーに関する。
【背景技術】
【０００２】
一般的に、自動販売機内には、ディスプレー用ダミーを取り付けて展示するための固定用台を有するディスプレイ部が設けられ、その固定用台には、上記ダミーを固定しうる取付孔が穿設されている。
【０００３】
このようなディスプレー用ダミーは、ボトルの実物の容器を軸方向に沿って半截した半円筒形状に形成されている。
【０００４】
上記ディスプレー用ダミーには本体底面部の下部に上記取付孔に係止しうる係合部が延設されている。
【０００５】
そして、上記ディスプレー用ダミーの上記係合部は底面半円状に形成され、その周面部の全体に亘って係止突部が形成されることにより、その係止突部と本体底面部との間に係合溝部が形成され、その係合溝部を上記固定用台に形成された上記取付孔の周縁部に係合させることにより、ダミーの係合部を上記固定用台の取付孔に係止しうるように構成されている。
【０００６】
ところで、上記半円筒状のディスプレー用ダミーはポリカーボネート樹脂を素材とし、金型を用いた真空成形により形成される。即ち、半円筒状の金型の上面にポリカーボネート樹脂フィルムを載置し、負圧を供給して金型下へ吸引することにより型成形する。この場合、半円筒状の金型の両側下部の部位は負圧により直接に下方へ吸引されることから、樹脂厚寸が薄くなり、上記係合部の両側の側面部における係合溝部の肉厚が薄く形成されている。
【０００７】
従って、上記ダミーの係合部を上記固定用台の取付孔に係止させる場合に、上記係合部の両側の側面部における上記係止突部を変形させる必要があるが、その際、肉薄に形成された上記係合溝部の壁面が破損しやすいという不具合があった。
【０００８】
そこで本出願人は上記の不具合を解消するために、上記係合部の前面側にのみ係止突部が形成されたディスプレー用ダミーを考案した（特許文献１参照）。
【特許文献１】実用新案登録第３１０３８４６号公報
【０００９】
しかしながら、本出願人が考案した上記ディスプレー用ダミーは、上記係合部の前面側にのみ係止突部が形成されていることから、上記係合部を上記固定用台の取付孔に係止させた状態において前倒しやすいという不具合があった。
【００１０】
また、上記固定用台の取付孔の内径寸法は、各メーカーの飲料容器のダミーに対応するように設計されている。従って、固定用台の取付孔の内径寸法は各メーカーのディスプレーごとに異なっている。
【００１１】
従って、従来のディスプレー用ダミーは、全てのメーカーのディスプレーに展示することができず、各メーカーのディスプレーごとに係合部の寸法を変えて形成しなければならないという繁雑さがあった。
【考案の開示】
【考案が解決しようとする課題】
【００１２】
そこで本考案の課題は、自動販売機の固定用台の取付孔に係止した状態での前倒を防止できると共に、全てのメーカーのディスプレーの固定用台に汎用的に取り付けることができる自動販売機のディスプレー用ダミーを提供することにある。
【課題を解決するための手段】
【００１３】
上記課題を解決するために、請求項１記載の本考案に係る自動販売機のディスプレー用ダミーは、自動販売機のディスプレー部に設けられた固定用台に設けられた取付孔に底部が固定され、上記固定用台上に立設して陳列される半円筒状に形成され、上記ダミー本体の底部には、上記取付孔に挿入されて取付孔の周縁部に係合しうる係合部が延設されたディスプレー用ダミーにおいて、上記係合部は、ダミー本体の前面部及び両側部に形成されていることを特徴とする。
【００１４】
即ち、本考案に係る自動販売機のディスプレー用ダミーにあっては、ダミー本体の前面部及び両側部に形成されている複数箇所の上記係合部によって、上記ダミー本体の底部を上記固定用台に設けられた上記取付孔に固定するものである。即ち、上記ダミー本体の底部は上記取付孔に挿入され、その取付孔の周縁部に上記係合部が係合されて上記ダミー本体の底部が固定される。
【００１５】
また、請求項２記載の本考案に係る自動販売機のディスプレー用ダミーは、上記係合部は、上記ダミー本体の底面部との間に所定間隔をおいてダミー本体外方に向けて突設され、ダミー本体底面部と係合部との間に上記固定用台に設けられた取付孔の周縁部が配置されるように構成されていることを特徴とする。
【００１６】
即ち、本考案に係る自動販売機のディスプレー用ダミーにあっては、上記固定用台に設けられた取付孔の周縁部が、ダミー本体底面部とダミー本体外方に向けて突設された係合部との間に挟まれるように配置されることにより、ダミー本体が取付孔に固定される。
【００１７】
また、請求項３記載の本考案に係る自動販売機のディスプレー用ダミーは、上記ダミー本体底面部には、上記係合部における幅方向の両端部位から前方へ向かって配置され、ダミー本体の下方へ向かって膨出したリブが形成されていることを特徴とする。
【００１８】
即ち、本考案に係る自動販売機のディスプレー用ダミーにあっては、ダミー本体が取付孔に固定された状態では、上記ダミー本体底面部からダミー本体の下方へ向かって膨出するように形成された上記リブが、上記固定用台の上面部に当接状態となる。従って、上記固定用台に設けられた取付孔の周縁部は、ダミー本体底面部に形成された上記リブと上記係合部との間に挟まれる状態となる。そして、上記リブは左右２箇所に形成されていることから、バランスが良く、ダミー本体を上記固定用台上に立設して陳列する場合に、そのダミー本体の傾きを防止することができる。
【００１９】
また、請求項４記載の本考案に係る自動販売機のディスプレー用ダミーは、上記係合部には、凹状溝部が前後方向に沿って形成されていることを特徴とする。
【００２０】
即ち、本考案に係る自動販売機のディスプレー用ダミーにあっては、上記係合部に前後方向に沿って形成されている上記凹状溝部が、上記係合部に対しダミー本体の幅方向両側から加えられる圧力により上記係合部を撓みやすくする。
【００２１】
また、請求項５記載の本考案に係る自動販売機のディスプレー用ダミーは、上記凹状溝部は上記係合部における２箇所に形成され、上記係合部は上記凹状溝部により前端部係合部及び両側係合部に画成されていることを特徴とする。
【００２２】
即ち、本考案に係る自動販売機のディスプレー用ダミーにあっては、上記係合部は上記凹状溝部により前端部係合部及び両側係合部に画成されていることから、その両側係合部を固定用台に設けられた取付孔に固定する場合には、その両側係合部だけを変形させるだけでよく、前端部係合部を変形させる必要がない。即ち、両側係合部の変形の影響が前端部係合部に及ばのを回避することができる。
【考案の効果】
【００２３】
請求項１記載の本考案に係る自動販売機のディスプレー用ダミーは、自動販売機のディスプレー部に設けられた固定用台に設けられた取付孔に底部が固定され、上記固定用台上に立設して陳列される半円筒状に形成され、上記ダミー本体の底部には、上記取付孔に挿入されて取付孔の周縁部に係合しうる係合部が延設されたディスプレー用ダミーにおいて、上記係合部は、ダミー本体の前面部及び両側部に形成されていることから、上記係合部を上記取付孔に固定した状態では、上記ダミー本体の両側部に形成された上記係合部が上記取付孔の縁部に係止することにより上記ダミー本体の前倒を防止することができる。
【００２４】
請求項２記載の本考案に係る自動販売機のディスプレー用ダミーは、上記係合部は、上記ダミー本体の底面部との間に所定間隔をおいてダミー本体外方に向けて突設され、ダミー本体底面部と係合部との間に上記固定用台に設けられた取付孔の周縁部が配置されるように構成されていることから、ダミー本体底面部と係合部との間に上記固定用台に設けられた取付孔の周縁部が挟止された状態になるため、ダミー本体が確実に固定される。
【００２５】
請求項３記載の本考案に係る自動販売機のディスプレー用ダミーは、上記ダミー本体底面部には、上記係合部における幅方向の両端部位から前方へ向かって配置され、ダミー本体の下方へ向かって膨出したリブが形成されていることから、上記係合部を上記取付孔に固定した状態では、上記リブが上記固定用台の上面に当接して、上記ダミー本体を支持することになり、これにより上記ダミー本体の両側部に設けられた上記係合部と相俟って、上記ダミー本体の前倒防止効果を増大させることができる。
【００２６】
請求項４記載の本考案に係る自動販売機のディスプレー用ダミーは、上記係合部には、凹状溝部が前後方向に沿って形成されていることから、固定用台の取付孔の内径寸法が各メーカーのディスプレーごとに異なっていても、上記ダミー本体の係合部を幅方向に圧縮して撓ませることにより、上記係合部を無理なく上記取付孔に係合させることができる。従って、全てのメーカーのディスプレーに展示することができるという汎用性が得られるので、各メーカーのディスプレーごとに係合部の寸法を変えて形成しなければならないという煩雑さを解消することができる。
【００２７】
請求項５記載の本考案に係る自動販売機のディスプレー用ダミーは、上記凹状溝部は上記係合部における２箇所に形成され、上記係合部は上記凹状溝部により前端部係合部及び両側係合部に画成されていることから、上記ダミー本体の係合部を幅方向に圧縮して撓ませることがより容易化し、寸法の異なる固定用台の取付孔に対する係合作業が更に容易化する。
【考案を実施するための最良の形態】
【００２８】
以下、図面を用いて本考案の実施の形態について説明する。
本実施形態に係る自動販売機のディスプレー用ダミー１１は、図１に示すように、自動販売機のディスプレー部に設けられた固定用台１２に設けられた取付孔１３に底部１５が固定され、上記固定用台１２上に立設して陳列される半円筒状に形成され、上記ダミー本体１４の底部１５には、上記取付孔１３に挿入されて取付孔１３の周縁部に係合しうる係合部１６が延設されたディスプレー用ダミーであって、上記係合部１６は、図２〜図４に示すように、ダミー本体１４の前面部及び両側部に形成されている。
また、上記係合部１６は、図２及び図４に示すように、上記ダミー本体１４の底面部２０との間に所定間隔をおいてダミー本体１４外方に向けて突設され、図５及び図６に示すように、ダミー本体１４底面部２０と係合部１６との間に上記固定用台１２に設けられた取付孔１３の周縁部が配置されるように構成されている。
また、上記ダミー本体１４底面部２０には、図２〜図４に示すように、上記係合部１６における幅方向の両端部位から前方へ向かって配置され、ダミー本体１４の下方へ向かって膨出したリブ２９、３０が形成されている。
また、上記係合部１６には、図３に示すように、凹状溝部２４、２５が前後方向に沿って形成されている。
また、上記凹状溝部２４、２５は、図３に示すように、上記係合部１６における２箇所に形成され、上記係合部１６は上記凹状溝部２４、２５により前端部係合部２６及び両側係合部２７、２８に画成されている。
【実施例１】
【００２９】
本実施例に係る自動販売機のディスプレー用ダミー１１は、図１に示すように、飲料用ペットボトルのダミーであって、消費者が商品を選択しやすいように、自動販売機のディスプレー部に陳列されるものである。
【００３０】
自動販売機のディスプレー部には、図１に示すような固定用台１２が設置され、その固定用台１２には複数の取付孔１３が並列するように穿設されている。
【００３１】
上記ディスプレー用ダミー１１は、図１に示すように、ダミー本体１４の底部１５が上記固定用台１２に設けられた上記取付孔１３に係止されて固定され、上記固定用台１２上に立設して陳列される。
【００３２】
上記ダミー本体１４は、ポリカーボネート樹脂フィルムを素材とし、金型を用いて真空成形により形成されている。
【００３３】
上記ダミー本体１４は、図１〜図４に示すように、略半円筒状に形成され、上記ダミー本体１４の底部１５には、図２〜図４に示すように、上記固定用台１２に設けられた上記取付孔１３に挿入されて係合しうる係合部１６が延設されている。
上記係合部１６はダミー本体１４の底部下方に延設されている。
【００３４】
上記係合部１６には、図２〜図４に示すように、上記ダミー本体１４の前面部に係合用凸部１７が形成されている。
【００３５】
上記係合用凸部１７は、図２〜図４に示すように、上記ダミー本体１４の底面部２０との間に所定間隔をおいてダミー本体１４外方に向けて突設されている。
即ち、上記係合用凸部１７と、上記ダミー本体１４の底面部２０との間には空隙２１が形成されている。
【００３６】
上記係合部１６には、図２〜図４に示すように、上記ダミー本体１４の両側部にも係合用凸部１８、１９が形成されている。
【００３７】
上記係合用凸部１８、１９も、図２〜図４に示すように、上記ダミー本体１４の底面部２０との間に所定間隔をおいてダミー本体１４外方に向けて突設されている。
即ち、上記係合用凸部１８、１９と、上記ダミー本体１４の底面部２０との間にも空隙２２、２３が形成されている。
【００３８】
上記空隙２１、２２、２３の幅寸法は上記固定用台１２の厚さ寸法より僅かに大きく設定されている。
【００３９】
即ち、上記ダミー本体１４は、図１に示すように、上記底面部２０と上記係合用凸部１７、１８、１９との間に設けられた上記空隙２１、２２、２３に上記固定用台１２に設けられた上記取付孔１３の周縁部が配置されるように構成されている。
【００４０】
上記ダミー本体１４における上記係合部１６には、図２及び図３に示すように、凹状溝部２４、２５が前後方向に沿って形成されている。
【００４１】
上記凹状溝部２４、２５は上記係合部１６における２箇所に形成されている。これにより、図２及び図３に示すように、上記係合部１６は上記凹状溝部２４、２５により前端部係合部２６及び両側係合部２７、２８に画成されている。
【００４２】
即ち、図２及び図３に示すように、上記前端部係合部２６には上記係合用凸部１７が配置され、上記両側係合部２７、２８にはそれぞれ上記係合用凸部１８、１９が配置されている。
【００４３】
また、上記ダミー本体１４の上記底面部２０には、図２〜図４に示すように、ダミー本体１４の下方へ向かって膨出したリブ２９、３０が形成されている。
【００４４】
上記リブ２９、３０は、図３に示すように、上記両側係合部２７、２８から前方へ向かって突出するように配置されている。
【００４５】
上記ディスプレー用ダミー１１を上記固定用台１２の上記取付孔１３に装着するには、まず、図５に示すように、上記ダミー本体１４における上記前端部係合部２６を上記取付孔１３の周縁前部に係止させる。即ち、上記底面部２０と上記係合用凸部１７との間に形成されている上記空隙２１に上記固定用台１２における上記取付孔１３の縁部を差し込んで固定する。
【００４６】
次に、図６に示すように、上記ダミー本体１４における上記両側係合部２７、２８を上記取付孔１３の周縁側部に係止させる。即ち、上記底面部２０と上記係合用凸部１８、１９との間に形成されている上記空隙２２、２３に上記固定用台１２における上記取付孔１３の縁部を差し込んで固定する。
この場合、上記係合部１６には上記凹状溝部２４、２５が形成されていることから、上記係合部１６の両側部を手で把持して内方へ圧迫すれば、上記係合部１６を容易に撓ませることができる。
そして、上記係合部１６を撓ませることにより、上記係合用凸部１８、１９と上記底面部２０との間に形成されている上記空隙２２、２３に上記固定用台１２における上記取付孔１３の縁部を容易に差し込んで固定することができる。
【００４７】
上記のように、上記ダミー本体１４の上記前端部係合部２６と、上記両側係合部２７、２８とをそれぞれ上記取付孔１３の周縁部に係止することにより、上記ダミー本体１４は上記固定用台１２上に立設された状態で前倒しにくくなる。
【００４８】
また、上記ダミー本体１４における上記係合部１６に上記凹状溝部２４、２５が設けられて上記係合部１６が撓みやすく形成されていることにより、各メーカーごとに上記取付孔１３の内径寸法が異なっていても、上記係合部１６を撓ませることにより容易に各取付孔３に係止させることができる。
従って、全てのメーカーのディスプレーに展示することができるという汎用性が得られ、各メーカーのディスプレーごとに係合部１６の寸法を変えて形成しなければならないという煩雑さを解消することができる。
なお、ディスプレー用ダミー１１の長さ、直径には限定はなく、自動販売機のディスプレーに展示しうる大きさのダミーであればすべてに適用することができる。
【００４９】
また、上記ダミー本体１４における上記底面部２０に設けられた上記リブ２９、３０は、図７に示すように、上記ダミー本体１４の上記係合部１６が上記固定用台１２の上記取付孔１３に係止された状態では、上記固定用台１２の上面部に当接してダミー本体１４を下から支えるので、上記ダミー本体１４の前倒を上記両側係合部２７、２８と共に防止する。
【産業上の利用可能性】
【００５０】
本考案は、ペットボトルのダミーに限らず、自動販売機で販売される全ての商品のダミーに適用可能である。
【図面の簡単な説明】
【００５１】
【図１】本考案自動販売機のディスプレー用ダミーに係る一実施例を示したもので、自動販売機の固定用台にダミーを立設した状態の斜視図である。
【図２】本考案自動販売機のディスプレー用ダミーに係る一実施例を示したもので、ダミーの正面図である。
【図３】本考案自動販売機のディスプレー用ダミーに係る一実施例を示したもので、ダミーの底面図である。
【図４】本考案自動販売機のディスプレー用ダミーに係る一実施例を示したもので、ダミーの側面図である。
【図５】本考案自動販売機のディスプレー用ダミーに係る一実施例を示したもので、ダミーの前端部係合部を固定用台の取付孔に係止した状態の一部断面図である。
【図６】本考案自動販売機のディスプレー用ダミーに係る一実施例を示したもので、ダミーの両側係合部を固定用台の取付孔に係止した状態の一部断面図である。
【図７】本考案自動販売機のディスプレー用ダミーに係る一実施例を示したもので、ダミーの係合部を固定用台の取付孔に係止した状態の一部正面図である。
【符号の説明】
【００５２】
１１    ディスプレー用ダミー
１２    固定用台
１３    取付孔
１４    ダミー本体
１５    底部
１６    係合部
１７    係合用凸部
１８    係合用凸部
１９    係合用凸部
２０    底面部
２１    空隙
２２    空隙
２３    空隙
２４    凹状溝部
２５    凹状溝部
２６    前端係合部
２７    両側係合部
２８    両側係合部
２９    リブ
３０    リブ
【図１】
0003107476.tif 000003
【図２】
0003107476.tif 000004
【図３】
0003107476.tif 000005
【図４】
0003107476.tif 000006
【図５】
0003107476.tif 000007
【図６】
0003107476.tif 000008
【図７】
0003107476.tif 000009